Podtech/llm-jp-corpus-v4-ja_patent huggingface dataset:
(57)【要約】【課題】  本発明の目的は、本体内部を点検しやすく、切削片の侵入を防ぐことのできる電動工具を提供することにある。【解決手段】  モータ５と、モータ５を収容し、冷却風導入口４ａを有する外枠部４と、モータ５への電力の供給を制御するスイッチ１と、スイッチ１を操作するためのレバー２と、を有する電動工具において、レバー２をスイッチ１が導通する側に操作した時に、レバー２と冷却風導入口４ａとの間の距離ａが冷却風導入口４ａの幅ｂよりも小さくなるように構成する。【選択図】  図２
2006051571.tif 000002
【特許請求の範囲】
【請求項１】
モータと、
該モータを収容し、冷却風導入口を有する外枠部と、
該モータへの電力の供給を制御するスイッチと、
該スイッチを操作するためのレバーと、
を有する電動工具において、
該レバーを該スイッチが導通する側に操作した時に、該レバーと該冷却風導入口との間の距離が該冷却風導入口の幅よりも小さくなるように構成したことを特徴とする電動工具。
【発明の詳細な説明】
【技術分野】
【０００１】
本発明は、冷却風導入口を有する電動工具に関し、特に冷却風導入口からの粉塵の侵入を防止する技術に関するものである。
【背景技術】
【０００２】
従来の電動工具について、図３及び図４を参照しながら説明する。
【０００３】
図３はスイッチ１が遮断されている状態を、図４はスイッチ１が導通されている状態を示している。レバー２は、本体に対して支点３を中心として回動可能に設けられており、レバー２を介してスイッチ１を導通側又は遮断側へと択一的に操作できるように構成されている。
【０００４】
本体外枠部４には冷却風導入口４ａが設けられている。スイッチ１を導通側に操作するとモータの回転子５が回転を始め、回転子に設けられたファン５ａの作用によって大気が冷却風導入口４ａから吸入される。吸入された空気が回転子５及び固定子６を冷却する。
【０００５】
一方、回転子５に設けられた整流子５ｂは、回転子５に電力を供給する図示せぬカーボンブラシと接触しながら整流を行っているため、整流子５ｂが磨耗限度を超えていないかを頻繁に点検する必要がある。冷却風導入口４ａは、図中の方向Ａから覗き込むことで整流子５ｂを目視することができるように構成されており、点検窓としての機能も併せ持っている。
【０００６】
【特許文献１】特開平９−２７２０７２号広報
【発明の開示】
【発明が解決しようとする課題】
【０００７】
冷却風導入口４ａは点検窓としての機能を持っているため、整流子５ｂを目視できる程度に大きく開口している必要がある。このため、コンクリートや石材などの切削片が飛散しているような雰囲気中で作業を行うと、切削片が冷却風導入口４ａから本体内部に侵入し、回転子５や固定子６が損傷する原因となる場合がある。
【０００８】
本発明の目的は、本体内部を点検しやすく、切削片の侵入を防ぐことのできる電動工具を提供することにある。
【課題を解決するための手段】
【０００９】
モータと、該モータを収容し、冷却風導入口を有する外枠部と、該モータへの電力の供給を制御するスイッチと、該スイッチを操作するためのレバーと、を有する電動工具において、該レバーを該スイッチが導通する側に操作した時に、該レバーと該冷却風導入口との間の距離が該冷却風導入口の幅よりも小さくなるように構成する。このようにすれば、冷却風導入口と大気とをつなぐ経路は、内部を点検するためにモータを停止させている時は広く、作業を行うためにモータを起動している時は狭くなる。よって、作業中に切削片が冷却風導入口から侵入するのを防ぐことができる。
【発明の効果】
【００１０】
請求項１記載の構成によれば、冷却風導入口と大気とをつなぐ経路は、内部を点検するためにモータを停止させている時は広く、作業を行うためにモータを起動している時は狭くなる。よって、作業中に切削片が冷却風導入口から侵入するのを防ぐことができる。従って、本体内部を点検しやすく、切削片の侵入を防ぐことのできる電動工具を提供することができる。
【発明を実施するための最良の形態】
【００１１】
本発明による実施の形態について、図１及び図２を参照しながら説明する。
【００１２】
図１はスイッチ１が遮断されている状態を、図２はスイッチ１が導通されている状態を示している。レバー２は本体に対して支点３を中心として回動可能に設けられており、レバー２を介してスイッチ１を導通側又は遮断側に択一的に切り替えることができるように構成されている。
【００１３】
レバー２は、本体外枠部４に設けられた冷却風導入口４ａを覆うように延びる。図２に示すように、レバー２によってスイッチ１を導通側に操作した時に、レバー２と冷却風導入口４ａとの間の距離ａが、冷却風導入口４ａの幅ｂよりも小さくなるように構成されている。
【００１４】
レバー２を介してスイッチ１を導通側に動作すると、回転子５が回転を始め、回転子５に設けられたファン５ａによって大気が冷却風導入口４ａから吸入される。吸入された空気が回転子５及び固定子６を冷却する。
【００１５】
この時、冷却風導入口４ａはレバー２によって覆われ、冷却風導入口４ａと大気とをつなぐ経路は狭くなる。空気は、冷却風導入口４ａの幅ｂよりも狭い冷却風導入口４ａとレバー２との間の隙間ａを通過してから、本体内部に吸入される。よって、空気に混じって侵入しようとする切削片のほとんどは、隙間ａによって侵入を阻止される。
【００１６】
また、図１に示すようにスイッチ１が遮断側にある時、すなわち作業を行っていない時は、レバー２は冷却風導入口４ａから離れるので、外部から冷却風導入口４ａの内部を覗くことができる。よって、図中の方向Ａから整流子５ｂを目視して点検することができる。
【図面の簡単な説明】
【００１７】
【図１】本発明の実施の形態に係る電動工具において、レバーがスイッチを遮断させる側にある状態を示す構造断面図。
【図２】図１において、レバーがスイッチを導通させる側にある状態を示す構造断面図。
【図３】従来の電動工具において、レバーがスイッチを遮断させる側にある状態を示す構造断面図。
【図４】図３において、レバーがスイッチを導通させる側にある状態を示す構造断面図。
【符号の説明】
【００１８】
１  スイッチ
２  レバー
３  支点
４  本体外枠部
４ａ  冷却風導入口
５  回転子
５ａ  ファン    ５ｂ  整流子
６  固定子
【図１】
2006051571.tif 000003
【図２】
2006051571.tif 000004
【図３】
2006051571.tif 000005
【図４】
2006051571.tif 000006
(57)【要約】【課題】従来の写真カッターは、大型でとても高価なものである。携帯簡易型でなおかつ、安価なものがないのである。【解決手段】プラスチックとバネの簡単な構造にし、安価かつ携帯性の優れた写真カッターを提供できるとともに、手書きの線を入れはさみで切るより素早く、簡単に写真を切る事ができる。【選択図】図１
2006051590.tif 000002
【特許請求の範囲】
【請求項１】
形成されたプラスチック二枚の間に、各サイズの四角形の刃物を取り付けた簡易型、携帯型の証明写真カッター。
【発明の詳細な説明】
【０００１】本発明は、証明写真を各サイズに切断する器具に関するものである。
【背景技術】
【０００２】従来型大型な写真カッターでの切断、もしくは各サイズに線を書き、鋏で切断していた。
【発明の開示】
【発明が解決しようとする課題】
【０００３】大型の写真カッターでは、経済的負担も大きくスペースも必要になる。さらに持ち運ぶのには大変、不便である。また、線を書き鋏で切断すると時間がかかり、写真が曲がって切れてしまう可能性もある。従って、携帯簡易型にする事によって前途の欠点を解決しようとするものである。
【課題を解決するための手段】
【０００４】本発明は、形成されたプラスチックの片側に証明写真の各サイズの四角形の刃物を取り付ける。もう一方に、それと同じサイズの溝をつけておく。二枚のプラスチックの間には、バネを設け、手の力で簡単に写真を切断する事により、問題点を解決している。
【発明の効果】
【０００５】本発明は、証明写真の切断作業を簡易化するとともに、プラスチック素材なので、より安価で小さく携帯できる写真カッターを提供できる。
【発明の実施するための最良形態】
【０００６】透明なプラスチックの本体の間に、証明写真を入れて上から左右、上下を合わせてプラスチック本体の上面を指で押して切断する。
【実施例】
【０００７】以下、添付図面に従って一実施例を説明する。
▲１▼は耐久性の透明プラスチック等、適宜素材にて形成された本体
▲２▼は各サイズに形成した四角形の刃物。
▲３▼上下のプラスチックに隙間を作るためのバネ。【０００８】▲１▼の上面側に垂直、水平の線を入れておく、人型の線も入れる。サイドにはバネを入れるための凸凹を作る。真ん中に写真を押し出す棒をつける。
▲１▼の下面には各サイズの溝を付けておく。
【図面の簡単な説明】
【０００９】
【図１】本発明の説明写真カッターの一実施例を示す上面図である。
【図２】本発明カッターの断面図である。
【符号の説明】
【００１０】▲１▼カッター本体
▲２▼四角形の刃物
▲３▼バネ
▲４▼各サイズの範囲線
▲５▼人型の線
▲６▼写真を押し出す棒
▲７▼刃物が入る溝
【図１】
2006051590.tif 000003
【図２】
2006051590.tif 000004
(57)【要約】【課題】  従来、切断機で大口径の長尺丸パイプを切断するとき、同パイプの端方の下に枕木、補助ローラー等をかまして切断をしていた。しかし大口径の長尺丸パイプの為一発切りは無理なので、切断機側で同パイプを回転させ、切れていない部分を２回以上切りで切断をしていた。しかし同パイプを回転させるとき枕木、補助ローラー等側で同パイプが車輪の役目をして転がり、同パイプが斜めになり、そのたびに作業者は枕木、補助ローラー等側まで立ち上がって行き、同パイプの姿勢を直さなければならかった為に非常に作業効率が悪かった。【解決手段】  台座に高さ調節ができるボルト、ボールキャスターを設けると大口径の長尺丸パイプを回転、スライドさせるのに作業者一人で簡単にできる。【選択図】  図１
2006051589.tif 000002
【特許請求の範囲】
【請求項１】
台座４にボルト６付きナット５、ボール１付きボール受け台座２を設けた切断機用補助ボール台。
【請求項２】
ジャッキ型の天台１２にボール１付きボール受け台座２を設けた切断機用補助ボール台。
【発明の詳細な説明】
【技術分野】
【０００１】  本発明は、切断機で主に大口径の長尺丸パイプを切断するときに使う補助具に関するものである。
【背景技術】
【０００２】  従来、建築現場等における配管工事などの作業は、狭い場所で定尺（長尺）丸パイプを何本にも切断する場合があり、持ち運び便利な切断機の使用頻度が非常に高く、且つ、切断機で長尺丸パイプを切断する場合、切断機に長尺丸パイプが横たわる台座の高さレベルと合わす為に、長尺丸パイプの端方の下に枕木、補助ローラー等をかまして切断していた。【０００３】  その良く使う切断機は一発で丸パイプを切れるのは直径１００ｍｍ以下のパイプが殆どで（切断機の丸刃の直径が短い為）、それ以上の直径の大きい丸パイプは一発切りでは無理なので、切断機側で大口径の長尺丸パイプを手で少し浮かせ回転させ、切れていない部分を２回以上切りで切断をしていた。【０００４】  しかし、従来の枕木、補助ローラー等をかましての大口径の長尺丸パイプを切断機側で手で回転させた場合、枕木、補助ローラー等側で同パイプが車輪の役目をして転がり、同パイプが斜めになって（切断機の丸刃と同パイプが直角にならない）、そのたびに、一人で作業する人は枕木、補助ローラー等側まで立ち上がって行き、同パイプの姿勢を直さなければならない為、非常に作業効率が悪かった。
【発明の開示】
【発明が解決しようとしている課題】
【０００５】  本発明は、このような従来の作業効率が良くない問題を解決しようとするものであり、切断機で大口径の長尺丸パイプを２回以上切りで切断するときの作業効率を高めることを目的とするものである。
【課題を解決するための手段】
【０００６】  台座４の四隅にナット５を設け、それぞれにボルト６を付け、高さ調節ができるようにする。
【０００７】  台座４にボール１・ボール受け台座２付きボールキャスターをボルト３で取り付け、その上に切断する大口径の長尺丸パイプ９を載せる。
【０００８】  図４で示すアジャストハンドル１１で高さ調節ができるジャッキ型の天台１２にボール１・ボール受け台座２付きボールキャスターをボルト３でメスネジ１４と合せ取り付け、同様に使用しても良い。
【発明の効果】
【０００９】  本発明の補助具は、大口径の長尺丸パイプを受ける所がボールベアリングみたいになっているので、ローラーの役目もし、一人で作業する人が切断機側で左右に同パイプをスライドさすこともでき、且つ、同パイプを回転もさすことができる。したがって、２回切り以上の同パイプを効率良く切断できる。則ち、一人で作業する人が同パイプを回転さすたびに、何回も切断機側から同パイプを受ける補助具側へ行かなくても切断作業ができる。
【００１０】  又、簡単に持ち運びができ現場作業に適している。
【発明を実施するための最良の形態】
【００１１】  以下、本発明の実施の形態を図１〜図４に基づいて説明する。【００１２】  図１は実施例１を示す斜視図である。
実施例１のものでは、台座４の四隅にナット５を設け、それぞれに高さ調節ができるボルト６を付ける。そして台座４にボールベアリング状になっているボール１・ボール受け台座２付きボールキャスターをボルト３で取り付けている。この場合、床面が凸凹のひどいところでもボルト６を４本設けているので便利である。【００１３】  図２は実施例２を示す斜視図である。
実施例２のものでは、図２で示すように大口径の長尺丸パイプ９が切断機７に載せた高さと同じになるようにボルト６で高さを調節し、バイスハンドル１０で同パイプ９を固定し切断する。次にバイスハンドル１０をゆるめ、同パイプ９を手で少し持ち上げぎみに同パイプ９を回転させ、切り残した部分を切断機７が降ろしたとき丸刃８が当るように同パイプ９を切断機７に載せバイスハンドル１０で固定し、上記同様に切断する。【００１３】  図３は実施例３を示す正面図である。
実施例３のものでは、大口径の長尺丸パイプ９を本発明のボール１に載せたものであり、ボール１がボールベアリングみたいなもので同パイプをスライド及び回転さすことができる。【００１３】  図４は実施例４を示す斜視図である。
実施例４のものでは、アジャストハンドル１１で高さ調節ができるジャッキ型の天台１２にボール１・ボール受け台座２付きボールキャスターを上記同様に設けることができるようにあらわしたものである。この場合、高さ調節がアジャストハンドル１１一箇所でできるので便利である。又、ベース１３の四隅に実施例１で示したようにナット５を設け、それぞれにボルト６を付けても良い（床面が凸凹のひどいところでは便利）。
【図面の簡単な説明】
【００１４】
【図１】  実施例１を示す斜視図
【図２】  実施例２を示す斜視図
【図３】  実施例３を示す正面図
【図４】  実施例４を示す斜視図
【符号の説明】
【００１５】  １    ボール
２    ボール受け台座
３    ボルト
４    台座
５    ナット
６    ボルト
７    切断機
８    丸刃
９    長尺丸パイプ
１０  バイスハンドル
１１  アジャストハンドル
１２  天台
１３  ベース
１４  メスネジ
【図１】
2006051589.tif 000003
【図２】
2006051589.tif 000004
【図３】
2006051589.tif 000005
【図４】
2006051589.tif 000006
(57)【要約】      （修正有）【課題】コンパクトディスクケースを体裁良く壁面や卓上に展示するための額縁を提供する。【解決手段】コンパクトディスクケースの非開閉部分のはいる辺５と、その反対の辺に、他の辺よりも広いかぶせ部分２を設け、かぶせ部分２が広くなった分だけ、縁部分の幅は狭くすることにより、正面からは四辺を均等な幅の縁１で囲まれた、一般の額縁と同様に見えながら、コンパクトディスクケースの表示不要部分を隠し、必要な部分だけが正面に見えるようにする。【選択図】  図１
2006051306.tif 000002
【特許請求の範囲】
【請求項１】
コンパクトディスクケースの表示不要部分を縁内に収納し、必要な部分だけが正面に見えるようにした展示用額縁。
【発明の詳細な説明】
【技術分野】
【０００１】  この発明は、コンパクトディスクケースを壁面や卓上に展示するための額縁に関するものである。
【背景技術】
【０００２】  一般に額縁は、中に入れた物の外側を囲む、縁部分と、入れた物が前に出ないように止める、かぶせ部分で構成されるＬ字型の断面構造を持つ縁材を、四辺に組み合わせて作られる。コンパクトディスクケース用の額縁を、もし、従来の額縁の技術を使って作ると、四辺が均一な断面構造になり、数ミリメートル幅のかぶせ部分で隠される周囲を除き、コンパクトディスクケース正面の、ほぼ、全体が見えるようになる。
【発明が解決しようとする課題】
【０００３】  音楽用などに最も普及しているコンパクトディスクケースには、正面片側に非開閉部分がある。音楽ジャケットなどの印刷物は、開閉する透明扉の裏側に収納されるようになっており、非開閉部分には何もはいらない。また、印刷物は扉裏面の奥、すなわち、非開閉部寄りに収納されるようになっており、扉の非開閉部分と反対側にも、印刷物がはいらない部分が開く。そこで、コンパクトディスクケースにはいった印刷物などを、体裁良く見えるように展示するには、非開閉部分とその反対側にできる、印刷物がはいらない部分、この二ケ所の表示不要部分を隠す必要がある。
【課題を解決するための手段】
【０００４】  本発明は、額縁内裏面に表示不要部分を収納する空間を設け、この問題を解決した額縁である。コンパクトディスクケースの非開閉部分のはいる辺と、その反対側の辺に、他の辺よりも広いかぶせ部分を設け、かぶせ部分が広くなった分だけ、縁部分の幅は狭くする。これにより、正面からは四辺を均等な幅の縁で囲まれた、一般の額縁と同様に見えながら、表示不要部分は額縁内裏面に隠される。
【発明を実施するための最良の形態】
【０００５】  本発明の実施にあたっては、縁部分と、かぶせ部分で構成されるＬ字型の断面構造の縁を組み合わせ、コンパクトディスクケースの四辺を囲む額縁を形成する。または、それと同等の構造を一体成型で製造する。【０００６】  形態の特徴は、四辺の内、コンパクトディスクケースの非開閉部分のはいる辺には約１５ミリメートル、その反対側の辺には約８ミリメートル、他の二辺には約３ミリメートルと、かぶせ部分の幅が違う点である。同時に、縁部分の幅も、かぶせ部分と縁部分の幅の合計が、四辺同じになるように設定する。【０００７】  正面や周囲には、一般の額縁と同様に色々な形の装飾がされるが、その装飾に関わらず、裏面には本発明の形態の特徴である、表示不要部分を隠す構造を持たせる。なお裏面には、一般の額縁と同様、裏板、入れた物を固定するための止め具、卓上に立てるための足、壁面に掛けるための部品などが付属するが本発明には直接関係しないので、その形態は特定せず、図面にも記さない。
【産業上の利用可能性】
【０００８】  本発明に係わる額縁は、工業的に量産することが可能であるため、産業上の利用可能性を有する。
【図面の簡単な説明】
【０００９】
【図１】  本発明の裏面斜視図である。
【図２】  本発明の正面斜視図である。
【図３】  本発明の正面平面図である。
【図４】  本発明の裏面平面図である。
【図５】  本発明の裏面、横方向の中央断面斜視図である。
【図６】  本発明の裏面、縦方向の中央断面斜視図である。
【図７】  本発明の使用状態を示す横方向断面図である。
【図８】  普及しているコンパクトディスクケースの構造を示す、開扉時斜視図である。
【符号の説明】
【００１０】  １は縁部分
２はかぶせ部分
３はコンパクトディスクケースの見える窓
４は等幅の正面の縁
５は非開閉部分のはいる辺
６は本発明断面
７はコンパクトディスクケース断面
８は非開閉部分
９は透明扉
１０は扉裏に印刷物のはいる部分
１１は扉裏に印刷物のはいらない部分
【図１】
2006051306.tif 000003
【図２】
2006051306.tif 000004
【図３】
2006051306.tif 000005
【図４】
2006051306.tif 000006
【図５】
2006051306.tif 000007
【図６】
2006051306.tif 000008
【図７】
2006051306.tif 000009
【図８】
2006051306.tif 000010
(57)【要約】【課題】  七輪を用いてに炭火や薪を使用する際に、変化する火力に対して焼肉用の網を上下に昇降させるための機構を持たせ、焼肉など一般的にバーベキューに使用される食材を好みに応じて調理できるようにする。【解決手段】  使用する七輪より一回り大きいリング５を七輪の下部に設け、その円周に合わせた螺旋状の支柱４を固定させると共に、螺旋状の支柱４と焼肉用の網を載せる上部のリング１との間には、それぞれを接続する支柱２を複数本を配置するものとするが、螺旋状の支柱４との接続に関しては螺旋状の支柱４を包むようにした継ぎ手３と接続させ、螺旋状の支柱４に沿って左右方向に移動できるようにすることで焼肉用の網が載る上部のリング１を昇降させることが可能となり、食材を好みに応じて調理することができる。【選択図】  図１
2006051301.tif 000002
【特許請求の範囲】
【請求項１】
七輪を用いてに炭や薪を使用する際に、使用する七輪より一回り大きいリング５を七輪の下部に設け、その円周に合わせた螺旋状の支柱４を固定させるものとするが、螺旋状の支柱４を複数設定して本体の安定性を高める場合は、それぞれ等間隔になるように配置するものとし、その高さは使用する七輪より低くなるようにする。螺旋状の支柱４と焼肉用の網を載せる上部のリング１との間には、それぞれを接続する支柱２を複数本を配置するものとするが、螺旋状の支柱４との接続に関しては螺旋状の支柱４を包むようにした継ぎ手３と接続させ、螺旋状の支柱４に沿って左右方向に移動できるようにすることで、焼肉用の網が載る上部のリング１を昇降させることが可能となり、変化する火力に対応して食材を近づけたり、離すことで好みに応じて調理することができる。
【発明の詳細な説明】
【技術分野】
【０００１】  七輪等で使用される焼肉用の網に関する装置。
【背景技術】
【０００２】  従来、七輪で炭や薪を使用して調理する際は、火力の変化は点火した時点では弱く、徐々に強くなりピークを過ぎて弱まってくる特徴があり、焼け具合を調整するためには、その変化に注意深く合わせていく必要がある。
【発明の開示】
【発明が解決しようとする課題】
【０００３】  本発明は七輪を用いてに炭や薪を使用する際に、変化する火力に対して焼肉用の網を上下に昇降させるための機構を持たせ、焼肉など一般的にバーベキューに使用される食材を好みに応じて調理させることを課題とする。
【課題を解決するための手段】
【０００４】  本発明は使用する七輪より一回り大きいリング５を七輪の下部に設け、その円周に合わせた螺旋状の支柱４を固定させるものとするが、螺旋状の支柱４を複数設定して本体の安定性を高める場合は、それぞれ等間隔になるように配置するものとし、その高さは使用する七輪より低くなるようにする。螺旋状の支柱４と焼肉用の網を載せる上部のリング１との間には、それぞれを接続する支柱２を複数本を配置するものとするが、螺旋状の支柱４との接続に関しては螺旋状の支柱４を包むようにした継ぎ手３と接続させ、螺旋状の支柱４に沿って左右方向に移動できるようにすることで焼肉用の網が載る上部のリング１を昇降させることが可能となり、変化する火力に対応して食材を近づけたり、離すことで好みに応じて調理することができる。
【発明の効果】
【０００５】  本発明は、とくに炭火で調理する場合は炭の火力の変化に応じて調理することが可能となり、一般にバーベキューに使用される食材を、できるだけ早い時間で焼いたり、長い時間をかけてゆっくりと調理したり、あるいは食材を保温の目的で使用することができる。
【発明のを実施するための最良の形態】
【０００６】  本発明は使用する七輪より一回り大きいリング５を七輪の下部に設け、その円周に合わせた螺旋状の支柱４を固定させるものとするが、螺旋状の支柱４を複数設定して本体の安定性を高める場合は、それぞれ等間隔になるように配置するものとし、その高さは使用する七輪より低くなるようにする。螺旋状の支柱４と焼肉用の網を載せる上部のリング１との間には、それぞれを接続する支柱２を複数本を配置するものとするが、螺旋状の支柱４との接続に関しては螺旋状の支柱４を包むようにした継ぎ手３と接続させ、螺旋状の支柱４に沿って左右方向に移動できるようにすることで焼肉用の網が載る上部のリング１を昇降させることが可能となる。
【実施例１】
【０００７】  この実施例の焼肉網用の昇降装置は上記の手段を講じることで、上部のリング１を昇降させることができるが、上部のリング１が一番下がった時点で七輪の上面に接することが望ましく、その状態から上昇させる際は、七輪の上面から最低でも１０センチ以上の高さが取れるように螺旋状の支柱４と焼肉用の網を載せる上部のリング１との間をつなぐ支柱２の高さを設定すると共に、螺旋状の支柱４に沿ってスライドすることを考慮し、継ぎ手３以外の部分が螺旋状の支柱４に触れないように円周の外側に位置するように配置する。
【実施例２】
【０００８】  この実施例の焼肉網用の昇降装置の上部のリング１と螺旋状の支柱４を包むようにした継ぎ手３は、螺旋状の支柱４をスライドできるものとして設定するが、その傾斜や調理の際の振動で下り方向に動いてしまう場合、継ぎ手３自体に磁力を発生させる手段を講じ、螺旋状の支柱４も磁力により吸着できる素材のものを使用することで、設定した高さを保つことができるものとする。
【産業上の利用可能性】
【０００９】  本発明は近年、日常生活であまり七輪を使用しなくなったこともあり、七輪を用いて炭や薪を使用する際に適切な炭や薪の量と、その火力の変化に対応できずに好みの焼き加減や焼いていくペース配分などの調理が、うまくいかないケースが見られたが、本発明は火力に応じて好みの網の高さを調整できる機構を持たせたことにより、変化する火力に対応して食材を近づけたり、離すことで好みに応じて調理することができ、初めて七輪を使用する人でも容易に調理ができるようにすると共に焼肉店の設置を初め、バーベキューなどのレジャー産業に対してアプローチできるものとした。
【図面の簡単な説明】
【００１０】
【図１】本発明の実施例に係る斜視図である。
【符号の説明】
【００１１】  １  上部のリング
２  支柱
３  継ぎ手
４  螺旋状の支柱
５  下部のリング
６  本体固定板
【図１】
2006051301.tif 000003
(57)【要約】【課題】  現在使われているヒーター内蔵の手袋は価格が高く、一般には浸透していません。また素材を良くして効果を上げようとした場合、コストが高くなってしまいます。手袋に入るような小さな携帯用カイロも存在しますが、指先まであたたかくはならないです。安価に、そして簡単に手袋の指先まで温かくする事が課題です。【解決手段】  まず、携帯用カイロを手のひらの形にします。そして、それを手袋等に入れて使用します。【特許請求の範囲】
【請求項１】
この発明は携帯用カイロを手のひらの形にする事によって、手袋等に入れるようにした携帯用カイロの工夫である。
【発明の詳細な説明】
【発明の詳細な説明】
【産業上の利用分野】
【０００１】  この発明は寒い時期に簡単に手先を暖めることができるアイディアです。
【背景技術】
【０００２】  現在の手袋では電熱線に電気を通して発熱するヒーター内蔵の手袋が存在しています。また、手袋に入るような小さな携帯用カイロも存在しています。
【発明が解決しようとする課題】
【０００３】  現在使われているヒーター内蔵の手袋は価格が高く、一般には浸透していません。また素材を良くして効果を上げようとした場合、コストが高くなってしまいます。手袋に入るような小さな携帯用カイロも存在しますが、指先まであたたかくはならないです。
【発明を実施するための最良の形態】
【０００４】  まず、手のひらの形にされた携帯用カイロを作ります。そして、それを手袋に入れて使用します。
【発明の効果】
【０００５】  この発明によれば、確実に指先まで温くする方法が簡単で安価にできます。
(57)【要約】【課題】超音波画像ガイド下に体内の血管を穿刺する場合、従来は汎用リニア型超音波探触子を用い、目標血管の長軸像を描出しながら穿刺が行われているが、血管の位置や走行によって穿刺が困難な場合がある。【解決手段】側面の中央部に、円筒状穿刺針ガイド用具を固定するための、断面が半円形状の溝を、超音波送受信面に対して垂直に配置した棒状のリニア型超音波探触子を発明した。目標血管の短軸像を超音波画像の中央に描出しながら、円筒状穿刺針ガイド用具を探触子側面の溝に密着させ、穿刺針ガイド用具内腔に穿刺針を進めることで、確実に目標血管を目的の部位で穿刺することが出来る。【選択図】図１
2006051302.tif 000002
【特許請求の範囲】
【請求項１】
側面に、円筒状の穿刺針ガイド用具を固定するための、断面が半円形状の溝を、超音波送受信面に対し垂直に設けたことを特徴とする血管穿刺用棒状リニア型超音波探触子。
【請求項２】
前記の穿刺針ガイド用具固定用の溝はリニア型超音波探触子の中央部分に配置し、目標血管の短軸像を超音波画面の中央に描出しながら穿刺を行う際に用いることを特徴とする超音波探触子。
【発明の詳細な説明】
【技術分野】
【０００１】  この発明は、医療行為に用いる超音波探触子の形状に関する。
【背景技術】
【０００２】  医療行為において、超音波断層画面に描出された体内の組織や臓器を超音波画像ガイド下に穿刺する場合、従来は汎用リニア型超音波探触子を用い、図３のように探触子の長軸方向から穿刺が行われ、この方法に適した穿刺ガイド用具が工夫されている。
【発明の開示】
【発明が解決しようとする課題】
【０００３】  しかしながら、血管の穿刺を目的とした場合は、従来の技術によれば、穿刺目標血管の長軸像を描出する必要があり、目標血管が蛇行していたり、目標血管が極めて狭い範囲でしか描出できない状況では、目標血管の穿刺が困難な場合があった。そこで、この発明は、目標血管を目的の部位で確実に穿刺するための超音波画像を容易に得る事が出来、さらに、穿刺針を目標血管に到達させる簡便な超音波画像ガイド機能を有する超音波探触子を提供することを課題とする。
【課題を解決するための手段】
【０００４】  以上の課題を解決するために、第一発明は、棒状リニア型探触子の側面に、円筒状の穿刺針ガイド用具を固定するための、断面が半円形状の溝を、超音波送受信面に対して垂直に設けたことを特徴とする超音波探触子である。
また、第二発明は、側面の溝をリニア型探触子の中央に配置し、超音波画面の中央に目標血管の短軸像を描出した状態で穿刺針を進めることにより、確実に穿刺針を目標血管に導くことが出来ることを特徴とする超音波探触子である。
【発明の効果】
【０００５】  第一発明、または第二発明によれば、目標血管を目的の場所で確実に穿刺することが出来る。
【発明を実施するための最良の形態】
【０００６】  この発明の一実施形態を、図１に示す。
棒状リニア型探触子の側面の中央部分には円筒状の穿刺針ガイド用具を固定するための、断面が半円形状の溝が、超音波送受信面に対し垂直に設けられている。溝は、皮下約２−３ｃｍの深さで、超音波層の中央部と交差するように、やや傾斜をもって設けられている。図１内の３に示す円筒状の穿刺針ガイド用具を溝に密着させて用いることを特徴とする。【０００７】「実施形態の効果」
この実施形態によれば、図１内の３に示す円筒状の穿刺針ガイド用具を図２に示すように、側面の溝に対して用手的に密着させ、超音波画面の中央に目標血管の短軸像を描出しながら穿刺針ガイド用具の内腔にそって針を進めると、確実に目標血管に達することが出来る。穿刺後は、穿刺針ガイド用具と探触子を容易に分離することが出来るので、穿刺針の処置に集中することが出来る。円筒状の穿刺針ガイド用具の内腔径を変更することで、様々な穿刺針に適応することが可能である。【０００８】「他の実施形態」
図１の実施形態では、穿刺針ガイド用具固定用の溝は側面の一面にのみ設けているが、他の実施形態では、対面にも同様の溝を設けたものでも良い。また、超音波画面の処理により溝の位置の延長線、すなわち穿刺針の進行方向、を示す線状のガイドを超音波画面上に表示することにより、側面の任意の位置に溝を設けたものでも良い。
【図面の簡単な説明】
【０００９】
【図１】この発明の一実施形態を示す斜視図である。
【図２】円筒状の穿刺針ガイド用具を探触子側面の溝に密着させ、超音波画面の中央に目標血管の短軸像を描出しながら穿刺針ガイド用具の内腔にそって針を進めると、確実に目標血管に達することを示す図である。
【図３】従来技術を示す図である。
【符号の説明】
【００１０】１  側面に半円形状の溝を有する棒状リニア型超音波探触子
２  超音波送受信面
３  円筒状穿刺針ガイド用具
４  コード
５  穿刺針
６  目標血管短軸像
７  汎用リニア型探触子
８  汎用リニア型探触子用穿刺針ガイド用具
９  目標血管長軸像
【図１】
2006051302.tif 000003
【図２】
2006051302.tif 000004
【図３】
2006051302.tif 000005
(57)【要約】      （修正有）【課題】正方形の布地を留具で形づけるフリーサイズ式寝具カバーを提供する。【解決手段】正方形のカバー布地の四隅に面ファスナーを対角線で着脱させるように取り付ける。上下左右を対角線状に置いたカバーの上に寝具を縦に置き、左右対角線の面ファスナにより合わせ留をする。この状態で、寝具上下の際辺に角部を作るための留具５Ａ、５Ｂを寝具上下の際辺にセットして左右を繋ぎ合わせ、しかる後、上下も面ファスナにより対角線合わせ留めをする。【選択図】図２
2006051309.tif 000002
【特許請求の範囲】
【請求項１】
正方形の布地を使用して、２種類の留め具により寝具形を整え、フリーサイズ式であることを特徴とする寝具カバー。
【発明の詳細な説明】
【技術分野】
【０００１】  本発明は、正方形布地に留め具を用いて形成されるフリーサイズ形寝具カバーに関するものである。
［背景技術］【０００２】  従来、既製のものでは、大凡きまったサイズのものであった。
［発明の開示］
［発明が解決しようとする課題］【０００３】  そのために、次のような問題点があった。
（イ）寝具の大きさや厚みにきっちりあったものを求めるのは、難しいものであった。
（ロ）フアスナーの故障や、洗濯時の裏返しごみを払うなどに手間がかかった。
本発明は、これらの問題点を解決するためになされたものである。
［課題を解決するための手段］【０００４】  正方形の布地を使用し、中心に印を付け４辺にフアスナーを付ける。寝具の中心にも印をつけておき、カバーの上にひろげ、留め具２セットを用いて左右上下を留め合わせて形ずける。布地の重なり部分が無駄のように思われるが、フリーサイズであるため気楽に求めやすいこと、また、季節により寝具２枚重ねてもこのカバーで包むことが可能な仕様であり２枚のずれを防ぐ。以上を特徴とするフリーサイズ式寝具カバーである。
［発明の効果］【０００５】  厚みや大きさを気にすることなく、角部もきっちりと簡単に整い着脱便利な寝具カバーである。
簡素な形状であるが、多くの機能をもたらす寝具カバーである。
［発明を実施するための最良の形態］【０００６】  以下、本発明の実施の形態について説明する。
（イ）正方形布地（１）の４角辺に面フアスナー（２Ａ）（２Ｂ）（３Ａ）（３Ｂ）を対角線で着脱させる様に付ける。
（ロ）上記の布地を広げ中心に（４）の合わせ印を付ける。
（ハ）寝具を重ねてから装着する角部作りの留め具（５Ａ）（５Ｂ）を用意する。
本発明は、以上のような構成で、これを使用する時は、上記の布地を縦、横対角線になる様に広げ、（４）の合わせ印に寝具の裏面中央に付ける印を合わせながら重ね置く。
左右の対角線状の面フアスナーで留め合わせる。
寝具の上下（５）のすれすれの位置の左右で、角部を作るための角部留具（５Ａ）（５Ｂ）をセットさせる。針付の留具は、布地を痛めるため使用しない。図４の角部留具は、バックル形にゴム紐を通し、ホール矩形をカバーの角部に乗せ、バックル形を下から上のホールにくぐらせて上に出す。ゴム紐で左右が繋げる。
上下の対角線状面フアスナーを留あわせると寝具に合わせてしっかり包むことができる。
［実施例１］【０００７】  シングル形よりダブル形の方は幾分大きめの布地を図りたい。
部分的に装飾柄や、総柄などに仕上げて気軽に楽しく使用できる。
【図面の簡単な説明】
【０００８】［図１］本発明の平面図
［図２］本発明の左右あわせた図である。
［図３］本発明のセット済みの図である。
［図４］本寝具カバーに使用する角部留具である。
［穂号の説明］【０００９】１    カバー布地
２Ａ  面フアスナー
２Ｂ  面フアスナー
３Ａ  面フアスナー
３Ｂ  面フアスナー
４    中心印
５    寝具上下端
５Ａ  角部留具
５Ｂ  角部留具
【図１】
2006051309.tif 000003
【図２】
2006051309.tif 000004
【図３】
2006051309.tif 000005
【図４】
2006051309.tif 000006
(57)【要約】【課題】統合失調症を薬物でなくユングのいう集合をセルフで壊す心理学的物理学的に治す。【解決手段】先ず曼荼羅療法を行い次に７．５ヘルツの音を聞き意識的に自分で右脳を動かし集合をセルフで壊しユングのように統合失調症を治す。【特許請求の範囲】
【請求項１】
（イ）ユングのいう集合をセルフで壊し統合失調症を治す。
（ロ）意識的に自分で右脳を動かす。
（ハ）先ず、曼荼羅を見るという医学的に認められた曼荼羅療法を行う。
（ニ）次に、７．５ヘルツの音を聞くという療法も行う。
以上の如く論理で導かれるユング自身の統合失調症の完治の結果から得られたユング式統合失調症で治す上記の療法が同時に行われる統合失調症を治す装置。
【発明の詳細な説明】
【技術分野】
【０００１】  本発明は、統合失調症を治療する装置に関する。
【背景技術】
【０００２】  従来、統合失調症の薬はあったが副作用のないその装置はなかった。（例えば非特許文献１参照。）。【０００３】
【非特許文献１】  「信仰の意味を考える」、川田洋一２００３年７月２０日、１０頁から１６頁
【非特許文献２】  「ユング」１９９３年、現代書館、１４頁から２０頁、１５２頁から１５５頁
【発明の開示】
【発明が解決しようとする課題】
【０００４】  従来、薬物療法しかなく副作用を伴なった。
【課題を解決するための手段】
【０００５】  薬物療法でなくユングが行った物理的な方法である曼荼羅療法と７．５ヘルツの音を聞くという意識的に自分で右脳を動かし集合をセルフで壊すことで統合失調症を治す。
【発明の効果】
【０００６】  統合失調症を物理学的に治す。
【発明を実施するための最良の形態】
【０００７】    以下、本発明の実施例について時系列的論理的に文章で説明する。先ず、医学的に認められた曼荼羅療法を行い次に７．５ヘルツの音を聞く療法で意識的に自分で右脳動かしユング自身の集合をセルフで壊すという統合失調症完治結果を現代科学で再現し薬物を使わず統合失調症を治す。
【実施例】
【０００８】    上記の如く実施される。
【産業上の利用可能性】
【０００９】    米国での統合失調症患者は１８０万人もいて日本でも多くの患者がいるが薬物療法に代わる副作用のない第二の方法として産業上の利用可能性は高いと解される。
(57)【要約】      （修正有）【課題】血液の循環が悪くなるために起こる足のむくみや疲れを解消するためのストレチ履物を提供する。【解消手段】花緒付きの下駄に段差のある厚めのゴムを設けることにより、ふくらはぎやアキレス腱を伸ばすことができることを特徴とするストレッチ履物。【選択図】図１
2006051313.tif 000002
【特許請求の範囲】
【請求項１】
下駄の裏に厚めのゴムを設け、ゴムに段差をつけることにより、足の血液の循環をよくして、足のむくみや疲れをとることができることを特徴とする花緒付きストレッチ履物。
【発明の詳細な説明】
【技術分野】
【０００１】  本発明は血液の循環が悪くなるために起こる足のむくみや疲れを解消するストレッチ履物に関するものである。〔背景技術〕【０００２】  従来のスリッパをはいて家事をしていると，非常に足のだるさをかんじた。  足のむくみや，だるさはマッサージや足湯などして解消していた。〔発明の開示〕〔発明が解決しようとする課題〕【０００３】  その為に、次のような問題点があった。  血液の循環が悪くなるために起きる足のむくみやだるさは、マッサ−ジや足湯で解消出来るが、疲れているときや体調のわるいときはできなかった。〔課題を解決するための手段〕【０００４】  花緒をつけた木地の下駄の裏に厚めのゴムを設けることにより、室内でも屋外でもはけるようにした。  そして、ゴムに段差を忖けることにより前上がりの踵落としの履物にした。  この段差が爪先で歩くときのストッパ−になり安定して歩くことが出来る。  また踵だけつけて歩くこともできる。  以上を特徴とするストレッチ履物である。〔発明の効果〕【０００５】  本発明は、ゴムに段差をつけているので爪先で歩くときこれがストッパ−になりふくらはぎに力を入れることが出来る。又、踵で歩く時は、お尻に重心がかかり姿勢を矯正しようとしてアキレス腱やふくらはぎを伸ばす。  又、花緒を挟むことにより足の指も使う。  そうして履くことにより血液の循環がよくなり足のむくみや疲れを解消する事ができる。したがって、長時間立っていても足の疲れがなくなり、マッ−ジなどしなくてもよくなった。〔発明を実地するための最良の形態〕【０００６】  以下、本発明の実施の形態を説明する。  （イ）幅が広めで素足で履いても足が痛くならない布の花緒を使用し足が入りやすいように少し前にカ−ブしている木地を特徴とした花緒付きの下駄（１）である。  （ロ）下駄の裏に側面（２）より見て後方（３）から下駄の中央より少し前まで徐々に厚くなりその位置で段差（４）がつき前方に向かって薄くなっている形状の厚めのゴム（６）をつけた。  本発明は、以上の構成よりなっている。  本発明を使用するときは、室内履きとしても室外履きとしても使用できる。  段差を付けてあることによりストッパ−になり爪先で歩くことも踵で歩くことも安定して使い分けることが出来る。この結果足の血行がよくなる。
【図面の簡単な説明】
【０００７】
【図１】本発明の斜視図
【図２】本発明の平面図
【図３】本発明の動作説明図
【図４】本発明の動作説明図
【符号の説明】
【０００８】１  花緒付きの下駄２  下駄の側面３  下駄の後ろ４  段差５  下駄の前６  厚めのゴム
【図１】
2006051313.tif 000003
【図２】
2006051313.tif 000004
【図３】
2006051313.tif 000005
【図４】
2006051313.tif 000006
(57)【要約】【課題】  ペットボトル等の容器に格納及び容器からの取り出しが容易なストローで、かつ、構造が簡素なものを提供する。【解決手段】  ひとつ又は複数の蛇腹による折り曲げ部を有するストローの外面又は蛇腹部分付近を、弾性の高い合成樹脂等でコーティングすることにより、蛇腹部分に屈曲に対する復元性を持たせる。これにより、格納時には蛇腹部分を屈曲させることによりペットボトル等の容器にストローを格納し、取り出し時にはペットボトル等の容器の蓋を取り外すことにより蛇腹部分を屈曲から復元させ、ストロー先端を自然にペットボトル等の容器口から出現させる。【選択図】    図１
2006051318.tif 000002
【特許請求の範囲】
【請求項１】
ひとつ又は複数の蛇腹による折り曲げ部を有するストローの外面又は蛇腹部分付近を弾性の高い合成樹脂等でコーティングすることにより、ペットボトル等の容器への格納及び容器からの取り出しを容易にしたストロー。
【発明の詳細な説明】
【技術分野】
【０００１】  本発明は、ペットボトル等の容器への格納及び容器からの取り出しが容易なストローに関するものである。
【背景技術】
【０００２】  従来のペットボトル等の容器からのストローによる飲料の容易な吸飲を目的とした発明には、多くの付属品を用いストローをペットボトルに取り付けるもの、ペットボトル等の容器の蓋を改良して容器上部の空間を大きくしたもの、及びストロー先端又は中間部に収縮性の円筒管を取り付けストローの屈曲を可能にしたもの等がある。
【発明の開示】
【発明が解決しようとする課題】
【０００３】  本発明と目的を同じとする従来の発明には、その製品化にあたり、大幅な原料の増加による廃棄物の増加（例えば前述の付属品を用いる場合及びペットボトル等の容器の蓋を改良する場合）又は接合作業の必要による低作業効率（例えば前述の付属品を用いる場合及び収縮性の円筒管を取り付ける場合）等の問題がある。これらを解決するため、本発明により、ペットボトル等の容器に格納及び容器からの取り出しが容易なストローで、かつ、構造が簡素なものを提供する。
【課題を解決するための手段】
【０００４】  ひとつ又は複数の蛇腹による折り曲げ部を有するストローの外面又は蛇腹部分付近を、弾性の高い合成樹脂等でコーティングすることにより、蛇腹部分に屈曲に対する復元性を持たせる。これにより、格納時には蛇腹部分を屈曲させることによりペットボトル等の容器にストローを格納し、取り出し時にはペットボトル等の容器の蓋を取り外すことにより蛇腹部分を屈曲から復元させ、ストロー先端を自然にペットボトル等の容器口から出現させる。
【発明の効果】
【０００５】  以下の効果がある。
・構造が簡素なため、原料増加による廃棄物の増加の影響がほとんどなく、また、洗浄が容易なため使用者により再利用されやすい。
・製品化にあたり、作業工程が少ないため、製造コスト増加を抑えることができる。
・一般的なストローの市場流通品と形状がほぼ等しいため、現状の流通形態を崩さない。（例えば、現在のストロー流通形態のひとつである、１本ごとの個別包装が現状と変わらぬ手間で可能となる。）
・ペットボトル等の容器の蓋の開閉動作に伴い、ストローの取り出し及び格納が実施されるため、使用者に対する詳しい説明を要しない。
・ストローに直接手を触れることなく、ストローの取り出し及び格納が実施されるため衛生的である。
【発明を実施するための最良の形態】
【０００６】  以下、本発明の実施の形態について図面を用いて説明を行う。
・蛇腹による折り曲げ部を有するストローの外面又は蛇腹部分付近を、弾性の高い合成樹脂等でコーティングする。（図１又は図２）
・ストロー格納時は蛇腹部分が屈曲しペットボトル等の容器に格納される。（図４）
・ストロー取り出し時は蛇腹部分が屈曲から復元しストロー先端が自然にペットボトル等の容器から出現する。（図５）
【図面の簡単な説明】
【図１】ストローの蛇腹部分付近を合成樹脂等でコーティングした場合の正面図である。
【図２】ストロー外面を合成樹脂等でコーティングした場合の正面図である。
【図３】ストローの側面図である。
【図４】ストロー格納時の状態である。
【図５】ストロー使用時の状態である。
【図６】２箇所の蛇腹による折り曲げ部を有するストローを使用して、いずれのストロー端をペットボトル等の容器に挿入しても等しい効果を得る例。
【図１】
2006051318.tif 000003
【図２】
2006051318.tif 000004
【図３】
2006051318.tif 000005
【図４】
2006051318.tif 000006
【図５】
2006051318.tif 000007
【図６】
2006051318.tif 000008
(57)【要約】      （修正有）【課題】  １台のスマートボール機に４個のボール発射装置を設けて、４人同時にボールを発射して、遊戯盤中央の入賞穴を狙うゲーム機を提供する。【解決手段】  ほぼ円形の遊戯盤の外周に、複数個のボール発射装置と誘導カーブ壁を設けたスマートボール機であって、遊戯盤を、その中央に設けた入賞孔に向けて下方に傾斜する円錐状スロープ面に構成し、入賞孔を中心に多数の釘を林立させたことを特徴とするグループで楽しむスマートボール機。【選択図】図１
2006051320.tif 000002
【特許請求の範囲】
【請求項１】
ほぼ円形の遊戯盤の外周に、複数個のボール発射装置と誘導カーブ壁を設けたスマートボール機であって、遊戯盤を、その中央に設けた入賞孔に向けて下方に傾斜する円錐状スロープ面に構成し、入賞孔を中心に多数の釘を林立させたことを特徴とするグループで楽しむスマートボール機。
【発明の詳細な説明】
【技術分野】
【０００１】  本発明は、家庭や老人福祉施設などにおいて、４人グループでそれぞれ１個のボールを同時に発射し、誰のボールが入賞孔に入るかを競う遊戯機に関する。
【背景技術】
【０００２】  従来は、傾斜した盤面に複数個の入賞孔と多数の釘を林立させ、ブッシャー操作によって発射したボールがどの入賞孔に入るかで得点を競っていた。
【特許文献１】    特開平０８−２１５３７４号
【発明の開示】
【発明が解決しようとする課題】
【０００３】  昔から親しまれてきたスマートボール機は、パチンコ機と同様に、個人用のゲーム機であって、釘の配列と入賞孔の差別化によってゲームの面白さを引き出していた。そのため１台のスマートボール機を利用して多くの仲間と一緒に楽しむということは出来なかった。本発明は、１台のスマートボール機に４個のボール発射装置をを設けて、４人が同時にボールを発射することにより盤面中央に設けた入賞孔を狙う、新しい方式のスマートボール機の開発を行うことを課題とする。
【課題を解決するための手段】
【０００４】  この課題を解決するために、ほぼ方形のスマートボール機の各隅に各１個のボール発射装置を設ける。次に、遊戯機の盤面は、中央に設けた入賞孔に向けて下方に傾斜するスロープ面に構成し、入賞孔を中心にして多数の釘を林立させ、ボール発射装置から発射されたボールが、何回となく釘に当たりながら入賞孔に移動できるようにする。【０００５】  ボールは、ボール発射装置に設けたボール投入口から投入され、プッシャー操作によって発射された後、最終的には入賞孔を通過して遊戯者近くに戻るが、得点は、最初に入賞孔に入った者だけに与えられる。尚、得点の累計は、ボール発射装置近くに、適当な得点表示手段を設ける。
【発明の効果】
【０００６】  本発明は、以上説明したように構成されているので、以下に記載されるような効果を発揮する。【０００７】  １個のスルートボール機に４個のボール発射装置を設けているので、４人までの遊戯者が同時にボールを発射させて、最終ゴールとなる１個の入賞孔へのゴールインを競うことになり、遊戯者の競争心が非常に刺激される。【０００８】  ４人の遊戯者の発射するボールは、遊戯盤の盤面に林立させた多数の釘に当たりながら盤面の傾斜面を下降するとともに、他のボールとも微妙に接触反応する面白さとスリルを惹起する効果がある。【０００９】  操作ならびにルールが単純で、その勝敗も偶発的な要素が大きく働くので、老若男女に関係なくゲームに参加でき、ワンプッシャー操作毎に得点への期待とスリルがあり、仲間と一緒に和気あいあいと楽しめる。
【発明を実施するための最良の形態】
【００１０】  本発明は、同一の遊戯盤に２〜４あるいはそれ以上のボール発射装置を設けて構成することも出来るが、最良の形態として４個を設けて最大４人の遊戯者が遊べる実施例について説明する。
【実施例】
【００１１】  図１に示すように、外観ほぼ方形な脚付き遊戯機筐体１の上面はやや陥没させて遊戯盤２を設け、遊戯盤２の中央には入賞孔３を設ける。【００１２】  遊戯盤２は、中央に設けた入賞孔３に向けてゆるやかに下降傾斜する円錐状スロープ面にて構成し、各所に多数の釘４を林立して設定する。【００１３】  遊戯機筐体１の各隅部位置には、それぞれボール発射装置５を設け、その上部には、ボール６を挿入するボール挿入口７を設ける。ボール発射装置５は、その一端に設けたプッシャー８を手動で引っ張った後に手を離すことで発射させるバネ式のボール発射装置である。【００１４】  従って、遊戯に当たっては、遊戯に参加する４人が、先ずそれぞれのボール挿入口７からボール６を挿入した後に、各人ともプッシャー８を引っ張り、合図とともに同時に手を離してボール６を発射する。すると、ボール６は、ボール発射装置５に設けられた発射口９から同時に発射される。【００１５】  発射口９から発射されたボール６は、遊戯盤２の外周に沿って設けた誘導カーブ壁１０に進路を誘導されながら、各所に林立する釘４に次々にあたりながら遊戯盤１のスロープ面を下降し、入賞孔３に向けて進む。【００１６】  入賞孔３の径は、ボール６の径よりもやや大きく、各ボール発射装置５より発射された４個のボール６は、到着した順に１個ずつ落下出来るようにする。尚、ボール６は、たとえば赤・緑・黄・青などのように色分けしておくと、入賞孔３への着順を見誤ることがない。尚、入賞孔３に入ったボール６は、手元に付設したボール取り出し口１３に戻ってくる。【００１７】  ボール発射装置５の上面等には、得点表示のための適当な得点手段を設ける。その一例として、図面では、得点チップ１１を所定の得点チップ置き１２に置くようにする。尚、得点は、単純には、入賞孔３に最初に入ったボール６のみに与えることでも面白くゲームが成立する。しかし、場合によっては、入賞孔３にボール６が入った順に得点差を設けて累計してけいってもよい。
【産業上の利用可能性】
【００１８】  本発明は、家庭とか幼稚園・学校、そして各種施設などでの利用が期待できる。特に老人関係の施設においての利用では、ルールが単純であって、その勝敗はほぼ偶然性によって決まり、その個々の勝敗が累積されることによって勝敗が決するため、最も好ましいグループ用ゲーム機の一つとして歓迎されるであろう。
【図面の簡単な説明】
【００１９】
【図１】  本発明を具体化した一実施形態の斜視図である。
【符号の説明】
【００２０】  １  遊戯機筐体
２  遊戯盤
３  入賞孔
４  釘
５  ボール発射装置
６  ボール
７  ボール挿入口
８  プッシャー
９  発射口
１０  誘導カーブ壁
１１  得点チップ
１２  得点チップ置き
１３  ボール取り出し口
【図１】
2006051320.tif 000003